(57)【要約】【課題】箱を折り畳んだときに折り畳み状態を安定的に維持すること。【解決手段】箱本体１０の折り畳み状態で相対する面板１６、１６のそれぞれに差し込み爪２１と受口２２のそれぞれを設け、差し込み爪２１を受口２２に係入可能にしたもの。【選択図】　図４
2004059026.tif 000002
【特許請求の範囲】
【請求項１】
箱の折り畳み状態で相対する面板に差し込み爪と、該差し込み爪が差し込まれる受口のそれぞれを設け、差し込み爪を受口に係入可能にした箱。
【請求項２】
前記差し込み爪が受口の外周部との引っかかり部を備えた請求項１に記載の箱。
【請求項３】
前記受口の周囲に該受口に交差する切れ目を設けた請求項１又は２に記載の箱。
【発明の詳細な説明】
【０００１】
【発明の属する技術分野】
本発明は贈答箱、段ボール箱等の箱に関する。
【０００２】
【従来の技術】
使用後の廃棄段階で、嵩張らないように２つ折りできる箱として、特開２００１−２８７７３５に記載の如く、箱の折り畳み状態で相対する側面板の外縁に切れ目を設け、両側面板の切れ目の凸部同士を引っかけるようにしたものがある。
【０００３】
【発明が解決しようとする課題】
▲１▼箱の相対する側面板の外縁に設けた切れ目の凸部同士を引っかけるものであり、簡単に外れてしまう。
【０００４】
▲２▼相対する側面板の互いに引っかかり合う切れ目が側面板の外縁に設けられるものであり、側面板の外縁より内側に設けるものでないから、２つ折りした箱の内側に生ずる大きな膨らみを抑えにくく、箱の嵩張りの防止効果が低い。
【０００５】
本発明の課題は、箱を折り畳んだときに折り畳み状態を安定的に維持することにある。
【０００６】
【課題を解決するための手段】
請求項１の発明は、箱の折り畳み状態で相対する面板に差し込み爪と、該差し込み爪が差し込まれる受口のそれぞれを設け、差し込み爪を受口に係入可能にした箱である。
【０００７】
【発明の実施の形態】
（第１実施形態）（図１〜図４）
図１の箱１Ａは、板紙製箱本体１０と、箱本体１０に被着される板紙製蓋体３０とからなる。箱本体１０と蓋体３０の組立構造及び廃棄構造は略同じであり、以下箱本体１０の組立構造及び廃棄構造について説明する。尚、図１において、「前」とは箱本体１０の奥側のことを意味する。
【０００８】
箱本体１０は、図１〜図４に示す如く、底面板１１の左右に折り目線を介して左右の外側面板１２、１２を連設し、各外側面板１２に折り目線を介して左右の内側面板１３を連設し、各内側面板１３に折り目線を介して左右の内折り板１４を連設している。また、底面板１１の前後に折り目線を介して前後の外側面板１５、１５を連設し、各外側面板１５に折り目線を介して前後の内側面板１６を連設し、各内側面板１６に折り目線を介して前後の内折り板１７を連設している。また、底面板１１の４つの隅部のそれぞれに、相隣る外側面板１２と外側面板１５をつなぐつなぎ板１８を連設し、つなぎ板１８の中央に当該隅部から外方に向かうミシン目線１８Ａを備える。
【０００９】
従って、箱本体１０は、左右前後の外側面板１２、１５を底面板１１に対して立ち上げるとともに、各つなぎ板１８をミシン目線１８Ａに沿って内方へ折り込んだ後、各内側面板１３、１６を外側面板１２、１５の内側へ折り曲げ、更に各内折り板１４、１７を底面板１１の裏面上に折り曲げることにより、図１の如くに組立てられる。箱本体１０は糊を用いずに組立てできる。但し、箱本体１０の組立ては糊を用いても良い。
【００１０】
箱本体１０は、底面板１１と左右の外側面板１２、内側面板１３、内折り板１４をそれらの前後方向の中央で折り畳むための罫線、ミシン目線等からなる折り畳みガイド２０を備える。折り畳みガイド２０は、箱本体１０を２つ折りするためのガイドとなるものであれば、単なる目印でも良い。
【００１１】
箱本体１０は、折り畳みガイド２０に沿う折り畳み状態（図４（Ａ））で相対する前後の面板に、差し込み爪２１と、該差し込み爪２１が差し込まれる受口２２のそれぞれを設けている。例えば、差し込み爪２１は前側の内側面板１６及び内折り板１７に設けられ、後側の内側面板１７に設けられる受口２２に係入可能とされる（図４（Ｂ））。
【００１２】
差し込み爪２１は、図２に示す如く、内側面板１６及び内折り板１７に設けられ、内側面板１６に連結され、折り畳みガイド２０から遠ざかる方向へと伸びる帯状連結部２１Ａと、連結部２１Ａに連結される台形状爪部２１Ｂとを備える。差し込み爪２１は内側面板１６に対する連結部２１Ａのつながり部２１Ｃを除いて内側面板１６及び内折り板１７から切り離される舌片状をなす。差し込み爪２１は箱本体１０の製造段階で内側面板１６及び内折り板１７から切り離し済とされても良く、又は製造段階ではミシン目線等により区画され、使用段階でそのミシン目線等に沿って切り離されても良い。連結部２１Ａは受口２２より狭巾とされ、受口２２に挿入可能とされる。爪部２１Ｂは先端側を狭巾状の台形状とされ、受口２２に折り畳みガイド２０から離隔する方向へ向けて挿入容易化されてこれを通り抜けでき、連結部２１Ａに連結されている基端部を連結部２１Ａより広巾とし、その広巾基端部の両側端角部を通り抜け後の受口２２の外周部に対する引っかかり部２１Ｄとする。
【００１３】
受口２２は、図３（Ａ）に示す如くの長孔状受口２２、又は図３（Ｂ）、（Ｃ）に示す如くのスリット状受口２２とすることができる。スリット状受口２２については、受口２２に交差する切れ目２３を該受口２２の一側に設け（図３（Ｂ））、又は受口２２に交差する切れ目２３Ａ、２３Ｂを該受口２２の両側に渡って設けることもできる。
【００１４】
従って、箱本体１０の使用後の廃棄作業は以下の手順でなされる。
（１）箱本体１０の図１に示した組立て状態をばらし、箱本体１０を展開紙の状態にする。箱本体１０が糊を用いないで組立てられているとき、その展開は容易である。
【００１５】
（２）箱本体１０を前述の折り畳みガイド２０に沿って２つ折りする（図４（Ａ））。
【００１６】
（３）箱本体１０の２つ折り状態で、差し込み爪２１を受口２２に係入し（図４（Ｂ））、箱本体１０が２つ折りに対する反発力に基づく復元習性により再び拡がることを抑える。
【００１７】
本実施形態によれば以下の作用がある。
（請求項１に対応する作用）
▲１▼箱本体１０の折り畳み状態で相対する面板１６の一方に設けた差し込み爪２１を、他方に設けた受口２２に係入するものであり、差し込み爪２１と受口２２の引っかかりにより、箱本体１０の折り畳み状態を安定的に維持できる。
【００１８】
▲２▼差し込み爪２１と受口２２は面板１６の外縁より内側に設けることができ、２つ折りした箱本体１０の内側に生ずる大きな膨らみを効果的に抑え、箱本体１０の嵩張りをより確実に防止できる。
【００１９】
▲３▼差し込み爪２１が折り畳みガイド２０から遠ざかる方向へと伸び、折り畳みガイド２０から離隔する方向へ向けて受口２０に挿入される。従って、受口２２に差し込まれた差し込み爪２１は、箱の膨らみ（箱を折り畳むと、箱は折り畳み状態から開こうとすること）により差し込み爪部を折り曲げようとし、受口２２と擦れながら差し込み爪２１が抜けようとするので、差し込み爪２１と受口２２とが外れ難くすることができる。更に、差し込み爪２１を長くすることで、差し込み爪２１と受口２２とが外れ難くすることができる。その結果、箱本体の折り畳み状態を安定的に維持できる。
【００２０】
（請求項２に対応する作用）
▲４▼差し込み爪２１に備えた引っかかり部２１Ｄが受口２２の外周部に引っかかり、差し込み口２１と受口２２の引っかかりの確実を図ることができる。引っかかり部２１Ｄが受口２２の外周部に引っかかることで、箱本体の材質の折れ曲がり力のみで折り畳み状態を維持するのでなく、差し込み爪２１周辺の引張り破断力又は引っかかり部２１Ｄの破断力（受口より幅広な引っかかり部２１Ｄが箱の膨らむ力で折れ曲がったり、一部破断するなどして、受口から差し込み爪が抜けるのを防止する力）で折り畳み状態をより安定的に維持できる。
【００２１】
（請求項３に対応する作用）
▲５▼受口２２に交差する切れ目２３、２３Ａ、２３Ｂが、差し込み爪２１を受口２２に係入するときに受口２２を一時的に拡開可能とし、差し込み爪２１の差し込み操作性を向上できる。
【００２２】
箱本体１０では、差し込み爪２１と受口２２を内側面板１６に設け、外側面板１５に設けたものでないから、箱本体１０の組立使用状態でそれらの差し込み爪２１、受口２２が箱本体１０の外観に表われず、箱本体１０の見栄えを損なわない。但し、差し込み爪２１と受口２２を外側面板１５や底面板１１に設けたときには、２つ折りした箱本体１０のより内側でそれらの差し込み爪２１と受口２２を係入でき、箱本体１０の復元習性による膨らみをより抑えることができる。
【００２３】
（第２実施形態）（図５〜図８）
第２実施形態が第１実施形態と異なる点は、第１実施形態の差し込み爪２１を差し込み爪４１に代えたことにある。第２実施形態の箱１Ｂ（図５）も、第１実施形態と同様の箱本体１０と蓋体３０とからなる。
【００２４】
箱本体１０は、第１実施形態と同様の折り畳みガイド２０を備える他、折り畳みガイド２０に沿う折り畳み状態（図８（Ａ））で相対する前後の面板のそれぞれに差し込み爪４１と、該差し込み爪４１が差し込まれる受口４２のそれぞれを設け、前側の内側面板１６に設けられる差し込み爪４１を、後側の内側面板１６に設けられる受口４２に係入可能としている（図８（Ｂ））。
【００２５】
差し込み爪４１は、図６に示す如く、内側面板１６に連結され、折り畳みガイド２０に近づく方向へと延びる舌片状をなす。差し込み爪４１は内側面板１６に対するつながり部４１Ａを除いて内側面板１６から切り離される舌片状をなす。差し込み爪４１は箱本体１０の製造段階で内側面板１７から切り離し済とされても良く、又は製造段階ではミシン目線等により区画され、使用段階でそのミシン目線等に沿って切り離されても良い。差し込み爪４１は受口４２より狭巾とされ、受口４２に折り畳みガイド２０へと近づく方向へ向けて挿入可能とされる。差し込み爪４１は先端側を円弧状（又は狭巾状）とされ、受口４２に挿入容易化される。
【００２６】
受口４２は、図７（Ａ）、（Ｂ）に示す如くのスリット状受口４２とすることができ、受口４２に交差する切れ目４３を該受口４２の一側に設け（図７（Ａ））、又は受口４２に交差する切れ目４３Ａ、４３Ｂを該受口４２の両側に渡って設けることもできる。
【００２７】
従って、箱本体１０の使用後の廃棄作業は以下の手順でなされる。
（１）箱本体１０の図５に示した組立状態をばらし、箱本体１０を展開紙の状態にする。
【００２８】
（２）箱本体１０を前述の折り畳みガイド２０に沿って２つ折りする（図８（Ａ））。
【００２９】
（３）箱本体１０の２つ折り状態で、差し込み爪４１を受口４２に係入し（図８（Ｂ））、箱本体１０が２つ折りに対する反発力に基づく復元習性により再び拡がることを抑える。
【００３０】
第２実施形態においても、第１実施形態におけると同様の作用を奏する。尚、差し込み爪４１が折り畳みガイド２０へと近づく方向へと延び、折り畳みガイド２０へと近づく方向へ向けて受口４２に挿入されるから、差し込み爪４１と受口４２とを外れ難くすることができる。
【００３１】
（第３実施形態）（図９）
図９の箱５０は段ボール箱であり、四角枠状をなす長尺側板５１、短尺側板５２、長尺側板５３、短尺側板５４の各下辺に底板５１Ａ〜５４Ａを、各上辺に蓋板５１Ｂ〜５４Ｂを連設している。
【００３２】
箱５０は、使用後の廃棄段階で、長尺側板５１と短尺側板５２の折り目線、長尺側板５３と短尺側板５４の折り目線に沿って折り畳み、長尺側板５１及び短尺側板５４に対し、短尺側板５２及び長尺側板５３を重ね合わせて折り畳み可能としており（図９（Ｂ））、折り畳み状態で相対する長尺側板５１と短尺側板５２のそれぞれに、第１実施形態において用いたと同様の差し込み爪２１と受口２２のそれぞれを設けている。即ち、差し込み爪２１は長尺側板５１に設けられ、短尺側板５２に設けられる受口２２に係入可能とされる（図９（Ｃ））。
【００３３】
従って、箱５０の使用後の廃棄作業は以下の手順でなされる。
（１）箱５０の組立状態をばらし、箱５０の各側板５１〜５４のそれぞれに対する同一面上に、各底板５１Ａ〜５４Ａ、各蓋板５１Ｂ〜５４Ｂを展開する（図９（Ｂ））。
【００３４】
（２）箱５０を長尺側板５１と短尺側板５２の折り目線、長尺側板５３と短尺側板５４の折り目線に沿って折り畳み、長尺側板５１及び短尺側板５４に対し、短尺側板５２及び長尺側板５３を重ね合わせて折り畳む。
【００３５】
（３）箱５０の折り畳み状態で、差し込み爪２１を受口２２に係入し（図９（Ｃ））、箱５０が折り畳みに対する反発力に基づく復元習性により再び拡がることを抑える。
【００３６】
第３実施形態においても、第１実施形態におけると同様の作用を奏する。
本発明の箱本体１０、箱５０にあっては、受口２２（４２）を面板の外縁に開口させない。但し、受口２２（４２）に交差する切れ目２３（４３）は面板の外縁にまで及ぶものであっても良い。
【００３７】
【発明の効果】
以上のように本発明によれば、箱を折り畳んだときに折り畳み状態を安定的に維持することができる。
【図面の簡単な説明】
【図１】図１は第１実施形態の箱を示す斜視図である。
【図２】図２は差し込み爪を示す模式図である。
【図３】図３は受口を示す模式図である。
【図４】図４は箱本体の折り畳み状態を示す模式図である。
【図５】図５は第２実施形態の箱を示す斜視図である。
【図６】図６は差し込み爪を示す模式図である。
【図７】図７は受口を示す模式図である。
【図８】図８は箱本体の折り畳み状態を示す模式図である。
【図９】図９は第３実施形態の箱を示す斜視図である。
【符号の説明】
１０　箱本体（箱）
１６　内側面板（面板）
２１　差し込み爪
２１Ｄ　引っかかり部
２２　受口
２３、２３Ａ、２３Ｂ　切れ目
４１　差し込み爪
４２　受口
４３、４３Ａ、４３Ｂ　切れ目
５０　箱
５１　長尺側板（面板）
５２　短尺側板（面板）
【図１】
2004059026.tif 000003
【図２】
2004059026.tif 000004
【図３】
2004059026.tif 000005
【図４】
2004059026.tif 000006
【図５】
2004059026.tif 000007
【図６】
2004059026.tif 000008
【図７】
2004059026.tif 000009
【図８】
2004059026.tif 000010
【図９】
2004059026.tif 000011